(57)【要約】      （修正有）【課題】飛沫感染を防止することができるマスクを提供する。【解決手段】着用者の口及び鼻の位置に配置されるマスク本体２００と、マスク本体２００の右上角部に設けられ、着用者に接触し前記マスク本体を保持する右保持部と、マスク本体２００の左上角部に設けられ、着用者に接触し前記マスク本体を保持する左保持部と、右保持部及び左保持部に取り付けられ、着用者の顔にマスクを装着させるための紐部材５００と、マスク本体２００の右下角部に設けられ、マスク本体２００と着用者との間に隙間を設けるための右スペーサ４１０と、マスク本体２００の左下角部に設けられ、マスク本体２００と着用者との間に隙間を設けるための左スペーサ４２０と、を含み、右スペーサ４１０が右保持部に接続され、かつ、左スペーサ４２０が左保持部に接続されることにより、マスク本体２００と着用者との間に隙間が設けられるマスク。【選択図】図１
2020165074.tif 000002
【特許請求の範囲】
【請求項１】
着用者が顔に装着するマスクであって、
着用者の口及び鼻の位置に配置されるマスク本体と、
前記マスク本体の右上角部に設けられ、着用者に接触し前記マスク本体を保持する右保持部と、
前記マスク本体の左上角部に設けられ、着用者に接触し前記マスク本体を保持する左保持部と、
前記右保持部及び前記左保持部に取り付けられ、着用者の顔に前記マスクを装着させるための紐部材と、
前記マスク本体の右下角部に設けられ、前記マスク本体と着用者との間に隙間を設けるための右スペーサと、
前記マスク本体の左下角部に設けられ、前記マスク本体と着用者との間に隙間を設けるための左スペーサと、を含み、
前記右スペーサが前記右保持部に接続され、かつ、前記左スペーサが前記左保持部に接続されることにより、前記マスク本体と着用者との間に隙間が設けられるマスク。
【請求項２】
前記右保持部が、マスク本体に接続される右本体接続部と、前記右スペーサに接続される右スペーサ接続部と、を有し、
前記左保持部が、マスク本体に接続される左本体接続部と、前記左スペーサに接続される左スペーサ接続部と、を有し、
前記右スペーサが、裏返され、前記右本体接続部と前記右スペーサ接続部との間の位置で、前記右スペーサ接続部と接続され、
前記左スペーサが、裏返され、前記左本体接続部と前記左スペーサ接続部との間の位置で、前記左スペーサ接続部と接続される請求項１記載のマスク。
【請求項３】
着用者との接触部分が前記紐部材、前記右スペーサの一部、前記左スペーサの一部、前記右スペーサ接続部及び前記左スペーサ接続部のみである請求項２記載のマスク。
【請求項４】
前記右スペーサの角部と前記右保持部の基端部とが接続され、
前記左スペーサの角部と前記左保持部の基端部とが接続される請求項３記載のマスク。
【請求項５】
前記右保持部は右挿入部を有し、
前記右スペーサは右被挿入部を有し、
前記左保持部は左挿入部を有し、
前記左スペーサは左被挿入部を有し、
前記右挿入部を前記右被挿入部に挿入することにより、前記右スペーサと前記右保持部とが接続され、
前記左挿入部を前記左被挿入部に挿入することにより、前記左スペーサと前記左保持部とが接続される請求項１乃至４のいずれか１項に記載のマスク。
【請求項６】
請求項１乃至５のいずれか１項に係るマスクの材質が、透明性を有するプラスチックであるマスク。
【発明の詳細な説明】
【技術分野】
【０００１】
本発明は、マスクに関する。
【背景技術】
【０００２】
近年、新型コロナウイルス感染症（ＣＯＶＩＤ−１９）の感染が大きな社会問題となっている。
【０００３】
そして、現時点では、新型コロナウイルス感染症（ＣＯＶＩＤ−１９）の治療法が確立されていないこともあり、予防のために日常的にマスクをする傾向にある。
【０００４】
特許文献１では、マスク本体部の左右の端部と着用者の頬との間に生じる隙間の抑制機能を向上させたマスクが開示されている。
【先行技術文献】
【特許文献】
【０００５】
【特許文献１】特開２０２０−８４３８８公報
【発明の概要】
【発明が解決しようとする課題】
【０００６】
しかしながら、特許文献１に開示されたマスクは、着用者の頬との間に生じる隙間をできるだけなくそうとするものであり、肌に密着している部分が多く、マスク内で空気がこもり暑いという問題がある。
【０００７】
また、通気性がない素材のものほどウイルス感染を防止することができるが、この場合、呼吸がし難いという問題がある。
【０００８】
また、従来のマスクは透明性を有するものでないため、顔の約半分がマスクによっておおわれ、顔が分かり難いという問題がある。
【０００９】
本発明の目的は、飛沫感染を防止することである。
【００１０】
本発明の他の目的は、飛沫感染を防止すると共に呼吸がし易いマスクを提供することである。
【００１１】
本発明の他の目的は、透明性を有するマスクを提供することである。
【００１２】
本発明の他の目的は、暑さを軽減させるマスクを提供することである。
【課題を解決するための手段】
【００１３】
本発明に係る第１の局面に係るマスクは、着用者が顔に装着するマスクであって、
着用者の口及び鼻の位置に配置されるマスク本体と、
前記マスク本体の右上角部に設けられ、着用者に接触し前記マスク本体を保持する右保持部と、
前記マスク本体の左上角部に設けられ、着用者に接触し前記マスク本体を保持する左保持部と、
前記右保持部及び前記左保持部に取り付けられ、着用者の顔に前記マスクを装着させるための紐部材と、
前記マスク本体の右下角部に設けられ、前記マスク本体と着用者との間に隙間を設けるための右スペーサと、
前記マスク本体の左下角部に設けられ、前記マスク本体と着用者との間に隙間を設けるための左スペーサと、を含み、
前記右スペーサが前記右保持部に接続され、かつ、前記左スペーサが前記左保持部に接続されることにより、前記マスク本体と着用者との間に隙間が設けられるマスクである。
【００１４】
本発明に係るマスクであれば、マスク本体を着用者に接触させないようにすることができる。また、着用者との接触部分は右保持部及び左保持部並びに右スペーサ及び左スペーサの一部のみであるため、接触面積が少ないという利点がある。なお、着用者との接触部分は右保持部及び左保持部並びに右スペーサ及び左スペーサの一部のみでなくてもよい。例えば、マスク本体の一部が着用者に接触していても本発明の効果に変わりはない。
【００１５】
マスクと着用者との間に空間（隙間）が設けられることにより、着用者は呼吸することができ、プラスチック等の通気性を有さない材質であっても使用することができる。
【００１６】
マスクと着用者との間に空間（隙間）が設けられており、また、接触面積も少ないため、着用者はマスクによる暑さが軽減される。
【００１７】
マスクがプラスチック等の通気性を有しない材質であれば、新型コロナウイルス感染症（ＣＯＶＩＤ−１９）等のウイルスの飛沫感染を防止することに役立つ。
【００１８】
また、本発明に係るマスクであれば、着用者の唾等の飛沫が周辺に飛ぶのを防止することができる。
【００１９】
また、本発明に係るマスクであれば、プラスチック等の材質にすることができるため簡単に手入れをすることができ、何度でも使用することができる。
【００２０】
本発明の第２の局面に係るマスクは、第１の局面に係るマスクであって、
前記右保持部が、マスク本体に接続される右本体接続部と、前記右スペーサに接続される右スペーサ接続部と、を有し、
前記左保持部が、マスク本体に接続される左本体接続部と、前記左スペーサに接続される左スペーサ接続部と、を有し、
前記右スペーサが、裏返され、前記右本体接続部と前記右スペーサ接続部との間の位置で、前記右スペーサ接続部と接続され、
前記左スペーサが、裏返され、前記左本体接続部と前記左スペーサ接続部との間の位置で、前記左スペーサ接続部と接続されるマスクである。
【００２１】
スペーサが裏返されて、保持部に接続されることにより、スペーサ及び保持部で構成される部分が立体的になり、マスク本体と着用者との間に空間を作ることができる。
【００２２】
また、右スペーサが右本体接続部と右スペーサ接続部との間に接続されることにより、右スペーサが右スペーサ接続部から外れ難くなるという効果を有する。
【００２３】
同様に、左スペーサが左本体接続部と左スペーサ接続部との間に接続されることにより、左スペーサが左スペーサ接続部から外れ難くなるという効果を有する。
【００２４】
本発明の第３の局面に係るマスクは、第２の局面に係るマスクであって、
着用者との接触部分が前記紐部材、前記右スペーサの一部、前記左スペーサの一部、前記右スペーサ接続部及び前記左スペーサ接続部のみであるマスクである。
【００２５】
本発明に係るマスクと着用者との接触部分は、紐部材、右スペーサ及び左スペーサの角部付近、右スペーサ接続部及び左スペーサ接続部のみであるため、接触面積が少なく、着用者はマスクによる暑さが軽減される。
【００２６】
また、本発明に係るマスクと着用者との接触面積が少ないため、着用者はマスクを着けている不快感が軽減される。なお、着用者との接触部分が前記紐部材、前記右スペーサの一部、前記左スペーサの一部、前記右スペーサ接続部及び前記左スペーサ接続部のみでなくてもよい。例えば、マスク本体の一部が着用者に接触していても本発明の効果に変わりはない。
【００２７】
本発明の第４の局面に係るマスクは、第３の局面に係るマスクであって、
前記右スペーサの角部と前記右保持部の基端部とが接続され、
前記左スペーサの角部と前記左保持部の基端部とが接続されるマスクである。
【００２８】
スペーサの角部と保持部の基端部とが接続されることにより、右スペーサと右保持部（右スペーサ接続部）、左スペーサと左保持部（左スペーサ接続部）が接続し易くなる。
【００２９】
つまり、右スペーサの一部と右スペーサ接続部との形状を一致させることができ、左スペーサの一部と左スペーサ接続部との形状を一致させることができる。
【００３０】
本発明の第５の局面に係るマスクは、第１の局面乃至第４の局面に係るマスクであって、前記右保持部は右挿入部を有し、
前記右スペーサは右被挿入部を有し、
前記左保持部は左挿入部を有し、
前記左スペーサは左被挿入部を有し、
前記右挿入部を前記右被挿入部に挿入することにより、前記右スペーサと前記右保持部とが接続され、
前記左挿入部を前記左被挿入部に挿入することにより、前記左スペーサと前記左保持部とが接続されるマスクである。
【００３１】
保持部の挿入部をスペーサの被挿入部に挿入することにより接続することで、両面テープや接着剤等の接着部材が不要となる。
【００３２】
また、マスクの材質が透明性を有するプラスチックの場合、両面テープが見えることもなく、見栄えも良くなるという利点がある。
【００３３】
本発明の第６の局面に係るマスクは、第１の局面乃至第５の局面に係るマスクの材質が、透明性を有するプラスチックであるマスクである。
【００３４】
「透明性」とは１００％の透過率である必要はなく、若干透ける程度であってもよい。
【００３５】
透明性を有するプラスチックを使用することにより、着用者の表情をみることができるという利点がある。
【００３６】
また、透明性を有するプラスチックであれば、見栄え的にも涼し気であるという利点がある。
【００３７】
また、本発明に係るマスクであれば、マスク本体が着用者に密着せず間に隙間があるため、眼鏡を着用した状態であっても眼鏡の曇りを防止することができる。
【図面の簡単な説明】
【００３８】
【図１】本発明に係る一実施形態のマスクの斜視図。
【図２】同実施形態のマスクの正面図（紐部材なし）。
【図３】同実施形態のマスクの側面図（紐部材なし）。
【図４】同実施形態のマスクの展開図（紐部材なし）。
【図５】同実施形態のマスクの展開図の部分拡大図。
【図６】同実施形態のマスクが着用されている様子を表す画像。
【図７】同実施形態のマスクが着用されている様子を表す画像。
【図８】同実施形態のマスクが着用されている様子を表す画像。
【発明を実施するための形態】
【００３９】
以下、本発明の実施形態に関して図面を参照しながら説明する。
【００４０】
図１乃至図４に示すように、本実施形態に係るマスク１００は、着用者の口及び鼻部分の位置に配置されるマスク本体２００と、
マスク本体２００を着用者に装着させるための保持部３００と、
マスク本体２００と着用者の顔との間に空間（隙間）を設けるためのスペーサ４００と、を含む。
【００４１】
本実施形態におけるマスク１００は、透明性を有するプラスチックである。
【００４２】
マスク１００の材質は、透明性を有するものが好ましいが、透明性を有しないものであってもよい。
【００４３】
また、本実施形態におけるマスク１００の材質は、ＰＥＴ（ポリエチレンテレフタラート）であるが、ＰＥ、ＰＰ等の結晶性樹脂、及び、ＰＶＣ、ＰＣ等の非結晶性樹脂であってもよい。マスク１００の材質は特に限定されない。
【００４４】
図４に示すように、マスク１００の展開図では、マスク本体２００は略六角形であり、右上角部及び左上角部に保持部３００が設けられ、右下角部及び左下角部にスペーサ４００が設けられている。
【００４５】
マスク本体２００は、マスク本体２００を立体的にするため接続される部分である重畳部２１０と、
重畳部２１０の一部が挿入（接続）される接続部である第１被挿入部２２０と、を有する。
【００４６】
マスク本体２００は、着用者の右頬側に配置される右マスク本体２３０と、着用者の左頬側に配置される左マスク本体２４０と、の間に設けられる第１折り線２５０が設けられている。
【００４７】
重畳部２１０は、マスク本体２００の中央上角部に設けられている。
【００４８】
本実施形態では、重畳部２１０が左マスク本体２４０に接続され、マスク本体２００が立体的になる。
【００４９】
重畳部２１０は、第１被挿入部２２０に挿入する第１挿入部２１１を有する。
【００５０】
本実施形態では、重畳部２１０は、右マスク本体２３０上部に設けられており、重畳部２１０には第２折り線２１２が設けられている。
【００５１】
なお、重畳部２１０は左マスク本体２４０に設けられてもよい。つまり、第１折線２５０を対象軸として、左右逆に配置されていてもよい。
【００５２】
第１挿入部２１１は、左マスク本体２４０に設けられる第１被挿入部２２０に挿入される部分である。
【００５３】
本実施形態では、第１挿入部２１１は、平面視略三角形であり、ｙ軸方向中央に折り線である第３折り線２１１ａが設けられている。本実施形態では、第３折り線２１１ａは谷折り線である。  
【００５４】
そして、第１挿入部２１１を第３折り線２１１ａで手前（ｚ軸正方向側）に折り、第１被挿入部２２０に挿入し、挿入後、第３折り線２１１ａで折った部分を開く。
【００５５】
図５に示すように、第１被挿入部２２０の幅Ｌは、第１挿入部２１１を第３折り線２１１ａで折った幅ｄがちょうど入る幅である。
【００５６】
つまり、第１被挿入部２２０の幅Ｌは、幅ｄより若干距離がある構成である。
【００５７】
第１挿入部２１１を第１被挿入部２２０に挿入後、第３折り線２１１ａで折った部分を開くことにより、第１挿入部２１１が第１被挿入部２２０から抜け難くなり、しっかりと固定される。
【００５８】
これにより、両面テープ等の接着部材を用いなくても重畳部２１０を左マスク本体２４０に接続される。なお、両面テープや接着剤等の接着部材を用いて接続されてもよい。
【００５９】
右マスク本体２３０は、着用者の右頬側に配置されるところである。右マスク本体２３０には、保持部３００である右保持部３１０と、
スペーサ４００である右スペーサ４１０と、が接続されている。
【００６０】
図４に示すように、右保持部３１０は右マスク本体２３０の上方（ｙ軸正方向側）である右上角部に設けられており、右スペーサ４１０は右マスク本体２３０の下方（ｙ軸負方向側）である右下角部に設けられている。
【００６１】
具体的には、マスク本体２００は平面視（ｘｙ平面視）略六角形であり、右マスク本体２３０の右上角部に右保持部３１０が接続されており、右マスク本体２３０の右下角部に右スペーサ４１０が接続されている。
【００６２】
左マスク本体２４０は、着用者の左頬側に配置されるところである。左マスク本体２４０には、保持部３００である左保持部３２０と、
スペーサ４００である左スペーサ４２０と、が接続されている。
【００６３】
図４に示すように、左保持部３２０は左マスク本体２４０の上方（ｙ軸正方向側）である左上角部に設けられており、左スペーサ４２０は左マスク本体２４０の下方（ｙ軸負方向側）である左下角部に設けられている。
【００６４】
具体的には、マスク本体２００は平面視（ｘｙ平面視）略六角形であり、左マスク本体２４０の左上角部に左保持部３２０が接続されており、左マスク本体２４０の左下角部に左スペーサ４２０が接続されている。
【００６５】
右保持部３１０は、右マスク本体２３０に接続されている右本体接続部３１１と、
右スペーサ４１０に接続される右スペーサ接続部３１２と、を有する。
【００６６】
右本体接続部３１１と右スペーサ接続部３１２とは、右折り線３１３で山折り（ｚ軸負方向側に折る）することにより構成される。
【００６７】
右スペーサ接続部３１２は、着用者に接触する部分である。なお、右スペーサ４１０の一部も着用者に接触する。
【００６８】
右スペーサ接続部３１２は、紐部材５００を通すための第１貫通孔３１４と、
右スペーサ４１０と接続するための接続部である右挿入部３１５と、を有する。
【００６９】
第１貫通孔３１４は、右スペーサ接続部３１２の先端部にあり、右挿入部３１５は、右スペーサ接続部３１２の基端部にある。
【００７０】
本実施形態では、右挿入部３１５は略半円状の形状である。右挿入部３１５は着用者とは反対側である右本体接続部３１１側に押し出されるものであるため、着用者に接触し難い。
【００７１】
右スペーサ接続部３１２から右挿入部３１５が押し出された後の残り部分も略半円状であるため、着用者にその部分が接触してもチクチク感は抑えられるという効果を有する。なお、右挿入部３１５の形状は限定されない。
【００７２】
同様に、左保持部３２０は、左マスク本体２４０に接続されている左本体接続部３２１と、
左スペーサ４２０に接続される左スペーサ接続部３２２と、を有する。
【００７３】
左本体接続部３２１と左スペーサ接続部３２２とは、左折り線３２３で山折り（ｚ軸負方向側に折る）することにより構成される。
【００７４】
左スペーサ接続部３２２は、着用者に接触する部分である。なお、左スペーサ４２０の一部も着用者に接触する。
【００７５】
左スペーサ接続部３２２は、紐部材５００を通すための第２貫通孔３２４と、
左スペーサ４２０と接続するための接続部である左挿入部３２５と、を有する。
【００７６】
第２貫通孔３２４は、左スペーサ接続部３２２の先端部にあり、左挿入部３２５は、左スペーサ接続部３２２の基端部にある。
【００７７】
本実施形態では、左挿入部３２５は略半円状の形状である。左挿入部３２５は着用者とは反対側である左本体接続部３２１側に押し出されるものであるため、着用者には接触し難い。
【００７８】
左スペーサ接続部３２２から左挿入部３２５が押し出された後の残り部分も略半円状であるため、その部分が着用者に接触してもチクチク感は抑えられるという効果を有する。なお、左挿入部３２５の形状は限定されない。
【００７９】
次に、右スペーサ４１０は、着用者の顔とマスク本体２００との間に距離を保つためのものである。
【００８０】
図４に示すように、右スペーサ４１０は、平面視（ｘｙ平面視）において、略Ｌ字状の形状をしている。
【００８１】
本実施形態では、右スペーサ４１０の先端部分の形状は、右スペーサ接続部３１２の形状と一致している。
【００８２】
右スペーサ４１０は、先端部に紐部材５００を通すための第３貫通孔４１１と、
Ｌ字形状の角部に右スペーサ接続部３１２の右挿入部３１５を挿入（接続）するための右被挿入部４１２と、を有する。
【００８３】
図４は、本実施形態に係るマスク１００の展開図であり、右スペーサ４１０の表側（ｚ軸正方向側）を右スペーサ接続部３１２の裏側（ｚ軸負方向側）に接続する。
【００８４】
具体的には、右スペーサ４１０を裏返し、右スペーサ４１０の表側の右被挿入部４１２に対して、右スペーサ接続部３１２の右挿入部３１５を挿入する。
【００８５】
そして、右スペーサ接続部３１２の裏面側から第１貫通孔３１４と、右スペーサ４１０の表側の第３貫通孔４１１とを重ね合わせ、第１貫通孔３１４及び第３貫通孔４１１に紐部材５００を通す。
【００８６】
本実施形態では、第１貫通孔３１４と第３貫通孔４１１は円形状であり、直径は同一である。
【００８７】
右スペーサ４１０は、右本体接続部３１１と右スペーサ接続部３１２との間に配置されるため、右スペーサ４１０が、右スペーサ接続部３１２から外れ難くなる。
【００８８】
本実施形態では、右スペーサ接続部３１２と右スペーサ４１０は、右挿入部３１５を右被挿入部４１２に挿入することにより接続しており、両面テープ等の接着部材等を用いずに接続することができる。
【００８９】
なお、右スペーサ接続部３１２と右スペーサ４１０とは、両面テープや接着剤等の接着部材を用いて接続されてもよい。
【００９０】
右スペーサ４１０と同様に、左スペーサ４２０は、着用者の顔とマスク本体２００との間に距離を保つためのものである。
【００９１】
図４に示すように、左スペーサ４２０は、右スペーサ４１０と同様に、平面視（ｘｙ平面視）において、略Ｌ字状の形状をしている。
【００９２】
本実施形態では、左スペーサ４２０の先端部分の形状は、左スペーサ接続部３２２の形状と一致している。
【００９３】
左スペーサ４２０は、先端部に紐部材５００を通すための第４貫通孔４２１と、
Ｌ字形状の角部に左スペーサ接続部３２２の左挿入部３２５を挿入（接続）するための左被挿入部４２２と、を有する。
【００９４】
図４は、本実施形態に係るマスク１００の展開図であり、左スペーサ４２０の表側（ｚ軸正方向側）を左スペーサ接続部３２２の裏側（ｚ軸負方向側）に接続する。
【００９５】
具体的には、左スペーサ４２０を裏返し、左スペーサ４２０の表側の左被挿入部４２２に対して、左スペーサ接続部３２２の左挿入部３２５を挿入する。
【００９６】
そして、左スペーサ接続部３２２の裏面側から第２貫通孔３２４と、左スペーサ４２０の表側の第４貫通孔４２１とを重ね合わせ、第２貫通孔３２４及び第４貫通孔４２１に紐部材５００を通す。
【００９７】
本実施形態では、第２貫通孔３２４と第４貫通孔４２１は円形状であり、直径は同一である。
【００９８】
図３に示すように、左スペーサ４２０は、左本体接続部３２１と左スペーサ接続部３２２との間に配置されるため、左スペーサ４２０が、左スペーサ接続部３２２から外れ難くなる。
【００９９】
本実施形態では、左スペーサ接続部３２２と左スペーサ４２０は、左挿入部３２５を左被挿入部４２２に挿入することにより接続しており、両面テープ等の接着部材等を用いず接続することができる。
【０１００】
なお、左スペーサ接続部３２２と左スペーサ４２０とは、両面テープや接着剤等の接着部材を用いて接続されてもよい。
【０１０１】
図１に示すように、紐部材５００は、本実施形態では弾性部材からなるゴム紐であり、一端は、右保持部３１０及び右スペーサ４１０の貫通孔（第１貫通孔３１４及び第３貫通孔４１１）に通して結ばれ、他端は、左保持部３２０及び左スペーサ４２０の貫通孔（第２貫通孔３２４及び第４貫通孔４２１）に通して結ばれている。
【０１０２】
なお、紐部材５００の材質及び結び方は特に限定されない。また、紐部材５００の結ぶ位置も特に限定されない。
【０１０３】
図６、図７及び図８からわかるように、スペーサ４００によって、マスク本体２００は着用者の顔から離れて（着用者に接触せずに）保持されており、暑さや息苦しさを軽減する。
【０１０４】
また、本実施形態に係るマスク１００は、透明性を有するプラスチックから構成されており、図６、図７及び図８からわかるように、着用者の表情がわかるという利点がある。
【０１０５】
また、図６及び図７から、本実施形態に係るマスク１００と着用者との接触面積が少ないことがわかる。
【０１０６】
本発明は、その趣旨を逸脱しない範囲で種々の改良、修正、又は変形を加えた態様でも実施できる。
【符号の説明】
【０１０７】
１００…マスク
２００…マスク本体
２１０…重畳部
２１１…第１挿入部
２１１ａ…第３折り線
２１２…第２折り線
２２０…第１被挿入部
２３０…右マスク本体
２４０…左マスク本体
２５０…第１折り線
３００…保持部
３１０…右保持部
３１１…右本体接続部
３１２…右スペーサ接続部
３２０…左保持部
４００…スペーサ
４１０…右スペーサ
４２０…左スペーサ
５００…紐部材
【図１】
2020165074.tif 000003
【図２】
2020165074.tif 000004
【図３】
2020165074.tif 000005
【図４】
2020165074.tif 000006
【図５】
2020165074.tif 000007
【図６】
2020165074.tif 000008
【図７】
2020165074.tif 000009
【図８】
2020165074.tif 000010